(57)【特許請求の範囲】
【請求項１】
受水槽と、
原水を濾過処理することにより製造された処理水を前記受水槽へ供給する処理水供給ラインと、
予備給水を前記受水槽へ供給する予備給水供給ラインと、
前記処理水供給ラインを介して、処理水を前記受水槽へ向けて流通させる処理水流通手段と、
前記予備給水供給ラインを介して、予備給水を前記受水槽へ向けて流通させる予備給水流通手段と、
前記予備給水供給ラインから前記受水槽への予備給水の供給を停止した時間を計時する予備給水供給停止時間計時手段と、
前記受水槽の水位を検出する水位検出手段と、
前記水位検出手段で検出された前記受水槽の水位が所定の水位範囲にある場合には、前記処理水供給ラインから前記受水槽へ処理水を供給するように前記処理水流通手段を制御し、前記水位検出手段で検出された前記受水槽の水位が前記所定の水位範囲の下限又は当該水位範囲の下限よりも下方の予備給水供給開始水位に満たない場合には、前記予備給水供給ラインから前記受水槽へ予備給水を供給するように前記予備給水流通手段を制御し、前記予備給水供給停止時間計時手段による計時が設定時間に達した場合において、前記水位検出手段で検出された前記受水槽の水位が前記所定の水位範囲の上限と前記予備給水供給開始水位との間のときには、前記予備給水供給ラインから前記受水槽へ予備給水を供給するように前記予備給水流通手段を制御する流通制御手段と、
を備える水処理システム。
【請求項２】
前記流通制御手段は、
前記予備給水供給停止時間計時手段による計時が設定時間に達した場合において、前記水位検出手段で検出された前記受水槽の水位が前記所定の水位範囲の上限と前記予備給水供給開始水位との間のときには、前記処理水供給ラインから前記受水槽へ処理水を供給するように前記処理水流通手段を制御しているときのみ、前記予備給水供給ラインから前記受水槽へ予備給水を供給するように前記予備給水流通手段を制御する請求項１に記載の水処理システム。
【請求項３】
前記予備給水供給ラインから前記受水槽へ予備給水を供給した時間を計時する予備給水供給時間計時手段を更に備え、
前記流通制御手段は、
前記水位検出手段で検出された前記受水槽の水位が前記所定の水位範囲の上限と前記予備給水供給開始水位との間のときに、前記予備給水供給ラインから前記受水槽へ予備給水を供給するように前記予備給水流通手段を制御している間に、前記予備給水供給時間計時手段による計時が設定時間に達した場合には、前記予備給水供給ラインから前記受水槽への予備給水の供給を停止するように前記予備給水流通手段を制御する請求項１又は２に記載の水処理システム。
【発明の詳細な説明】
【技術分野】
【０００１】
本発明は、水処理システムに関するものである。
【背景技術】
【０００２】
従来、受水槽に、濾過処理した地下水（以下、「処理水」という）と水道水との両方を供給できるようにした水処理システムが知られている。このような水処理システムにおいて、通常時には処理水を受水槽に優先的に供給し、濾過処理が行えない場合には、予備給水として水道水を受水槽に供給するようにしたものが知られている（例えば、特許文献１参照）。
【先行技術文献】
【特許文献】
【０００３】
【特許文献１】特許第３２３００８５号公報
【発明の概要】
【発明が解決しようとする課題】
【０００４】
上記のような水処理システムでは、濾過処理のための装置が動作している限り、水道水は受水槽に供給されることはない。一方、水道水が受水槽に長時間供給されないと、水道水を受水槽へ供給する配管内に滞留した水道水が雑菌等で汚染されやすくなる。このため、水道水が受水槽に長時間供給されない状態が続いた後に、水道水が受水槽に供給されると、汚染された水道水が受水槽に供給されるおそれがある。
【０００５】
従って、本発明は、汚染された水道水等の予備給水が受水槽に極力供給されないようにする水処理システムを提供することを目的とする。
【課題を解決するための手段】
【０００６】
本発明は、受水槽と、原水を濾過処理することにより製造された処理水を前記受水槽へ供給する処理水供給ラインと、予備給水を前記受水槽へ供給する予備給水供給ラインと、前記処理水供給ラインを介して、処理水を前記受水槽へ向けて流通させる処理水流通手段と、前記予備給水供給ラインを介して、予備給水を前記受水槽へ向けて流通させる予備給水流通手段と、前記予備給水供給ラインから前記受水槽への予備給水の供給を停止した時間を計時する予備給水供給停止時間計時手段と、前記受水槽の水位を検出する水位検出手段と、前記水位検出手段で検出された前記受水槽の水位が所定の水位範囲にある場合には、前記処理水供給ラインから前記受水槽へ処理水を供給するように前記処理水流通手段を制御し、前記水位検出手段で検出された前記受水槽の水位が前記所定の水位範囲の下限又は当該水位範囲の下限よりも下方の予備給水供給開始水位に満たない場合には、前記予備給水供給ラインから前記受水槽へ予備給水を供給するように前記予備給水流通手段を制御し、前記予備給水供給停止時間計時手段による計時が設定時間に達した場合において、前記水位検出手段で検出された前記受水槽の水位が前記所定の水位範囲の上限と前記予備給水供給開始水位との間のときには、前記予備給水供給ラインから前記受水槽へ予備給水を供給するように前記予備給水流通手段を制御する流通制御手段と、を備える水処理システムに関する。
【０００７】
また、前記水処理システムにおいて、前記流通制御手段は、前記予備給水供給停止時間計時手段による計時が設定時間に達した場合において、前記水位検出手段で検出された前記受水槽の水位が前記所定の水位範囲の上限と前記予備給水供給開始水位との間のときには、前記処理水供給ラインから前記受水槽へ処理水を供給するように前記処理水流通手段を制御しているときのみ、前記予備給水供給ラインから前記受水槽へ予備給水を供給するように前記予備給水流通手段を制御することが好ましい。
【０００８】
また、前記水処理システムにおいて、前記予備給水供給ラインから前記受水槽へ予備給水を供給した時間を計時する予備給水供給時間計時手段を更に備え、前記流通制御手段は、前記水位検出手段で検出された前記受水槽の水位が前記所定の水位範囲の上限と前記予備給水供給開始水位との間のときに、前記予備給水供給ラインから前記受水槽へ予備給水を供給するように前記予備給水流通手段を制御している間に、前記予備給水供給時間計時手段による計時が設定時間に達した場合には、前記予備給水供給ラインから前記受水槽への予備給水の供給を停止するように前記予備給水流通手段を制御することが好ましい。
【発明の効果】
【０００９】
本発明によれば、汚染された水道水等の予備給水が受水槽に極力供給されないようにする水処理システムを提供することができる。
【図面の簡単な説明】
【００１０】
【図１】本発明の第１実施形態の水処理システム１００を示す概略構成図である。
【図２】第１実施形態の水処理システム１００の制御に係わる機能ブロック図である。
【図３】第１実施形態の水処理システム１００において水道水供給ラインＬ１３０から定期的に水道水Ｗ１４０を抜き取る動作を示すフローチャートである。
【図４】第２実施形態の水処理システム１００Ａにおいて処理水Ｗ１３０の供給に連動して水道水供給ラインＬ１３０から水道水Ｗ１４０を抜き取る動作を示すフローチャートである。
【発明を実施するための形態】
【００１１】
＜第１実施形態＞
図１〜図３を参照して、本発明の第１実施形態の水処理システム１００について説明する。図１は、本発明の第１実施形態の水処理システム１００を示す概略構成図である。図２は、第１実施形態の水処理システム１００の制御に係わる機能ブロック図である。図３は、第１実施形態の水処理システム１００において水道水供給ラインＬ１３０から定期的に水道水Ｗ１４０を抜き取る動作を示すフローチャートである。
【００１２】
図１に示すように、第１実施形態の水処理システム１００は、濾過装置１１０と、受水槽１２０と、システム制御装置１０１と、を備える。また、第１実施形態の水処理システム１００は、原水供給ラインＬ１１０と、処理水供給ラインＬ１２０と、予備給水供給ラインとしての水道水供給ラインＬ１３０と、貯留水供給ラインＬ１４０と、処理水流通手段としての原水ポンプ１３１と、処理水流通手段としての処理水補給水バルブ１３２と、予備給水流通手段としての水道水補給水バルブ１３３と、水位検出手段としての水位計１３４と、を備える。「ライン」とは、流路、経路、管路等の流体の流通が可能なラインの総称である。
【００１３】
第１実施形態の水処理システム１００は、受水槽１２０に貯留した補給水Ｗ１１０を、貯留水供給ラインＬ１４０を介して使用対象装置（図示せず）に供給するためのシステムである。また、第１実施形態の水処理システム１００は、原水Ｗ１２０を濾過処理して製造された処理水Ｗ１３０を処理水供給ラインＬ１２０を介して受水槽１２０に供給できると共に、水道水Ｗ１４０を水道水供給ラインＬ１３０を介して受水槽１２０に供給できるように構成されている。
【００１４】
濾過装置１１０は、地下水（井水）からなる原水Ｗ１２０を濾過処理することにより処理水Ｗ１３０を製造する装置である。濾過装置１１０には、原水供給ラインＬ１１０と、処理水供給ラインＬ１２０と、が接続されている。原水供給ラインＬ１１０は、原水Ｗ１２０を濾過装置１１０へ供給するラインである。原水供給ラインＬ１１０の上流側は、原水Ｗ１２０の供給源となる井戸（図示せず）と接続されている。原水供給ラインＬ１１０には、原水ポンプ１３１が設けられている。原水ポンプ１３１は、原水供給ラインＬ１１０の上流側から下流側の濾過装置１１０へ向けて、原水Ｗ１２０を送り出すことができる。
【００１５】
処理水供給ラインＬ１２０は、濾過装置１１０で濾過処理されて製造された処理水Ｗ１３０を受水槽１２０へ供給するラインである。処理水供給ラインＬ１２０の上流側は、濾過装置１１０と接続されている。処理水供給ラインＬ１２０の下流側の端部１３５は、受水槽１２０と接続されている。処理水供給ラインＬ１２０には、処理水補給水バルブ１３２が設けられている。
【００１６】
処理水補給水バルブ１３２は、ラインの開閉を制御可能な制御弁により構成されている。処理水補給水バルブ１３２は、処理水供給ラインＬ１２０の下流側の端部１３５と濾過装置１１０との間において、処理水供給ラインＬ１２０を流通する処理水Ｗ１３０の供給開始又は供給停止を制御することができる。処理水補給水バルブ１３２を開くことにより、処理水供給ラインＬ１２０を介して、処理水Ｗ１３０を受水槽１２０へ向けて流通させることができる。本実施形態において、原水ポンプ１３１及び処理水補給水バルブ１３２は、「処理水供給ラインＬ１２０を介して、処理水Ｗ１３０を受水槽１２０へ向けて流通させる処理水流通手段」を構成する。
【００１７】
受水槽１２０は、処理水供給ラインＬ１２０から供給された処理水Ｗ１３０、及び水道水供給ラインＬ１３０から供給された水道水Ｗ１４０を貯留する槽である。受水槽１２０には、上述した処理水供給ラインＬ１２０と、水道水供給ラインＬ１３０と、貯留水供給ラインＬ１４０と、が接続されている。
【００１８】
水道水供給ラインＬ１３０は、予備給水としての水道水Ｗ１４０を受水槽１２０へ供給するラインである。水道水供給ラインＬ１３０の上流側は、水道水Ｗ１４０の供給源（図示せず）と接続されている。水道水供給ラインＬ１３０の下流側の端部１３６は、受水槽１２０と接続されている。水道水供給ラインＬ１３０には、水道水補給水バルブ１３３が設けられている。
【００１９】
水道水補給水バルブ１３３は、ラインの開閉を制御可能な制御弁により構成されている。水道水補給水バルブ１３３は、水道水供給ラインＬ１３０の下流側の端部１３６と水道水Ｗ１４０の供給源（図示せず）との間において、水道水供給ラインＬ１３０を流通する水道水Ｗ１４０の供給開始又は供給停止を制御することができる。水道水補給水バルブ１３３を開くことにより、水道水供給ラインＬ１３０から水道水Ｗ１４０を受水槽１２０へ向けて流通させることができる。本実施形態において、水道水供給ラインＬ１３０の上流側に設けられた水道水ポンプ（不図示）及び水道水補給水バルブ１３３は、「水道水供給ラインＬ１３０を介して、水道水Ｗ１４０を受水槽１２０へ向けて流通させる予備給水流通手段」を構成する。なお、本実施形態において、上記水道水ポンプは、水道水Ｗ１４０を常時加圧し、水道水Ｗ１４０を水道水供給ラインＬ１３０に常時供給しているものとする。
【００２０】
受水槽１２０には、処理水供給ラインＬ１２０から処理水Ｗ１３０が供給されると共に、水道水供給ラインＬ１３０から水道水Ｗ１４０が供給される。受水槽１２０に供給された処理水Ｗ１３０及び水道水Ｗ１４０は、受水槽１２０において補給水Ｗ１１０として貯留される。
【００２１】
貯留水供給ラインＬ１４０は、受水槽１２０に貯留された補給水Ｗ１１０を、使用対象装置（図示せず）へ供給するラインである。
【００２２】
受水槽１２０は、水位検出手段としての水位計１３４を備える。水位計１３４は、受水槽１２０に貯留されている補給水Ｗ１１０の水位を検出することができる。水位計１３４は、検出した水位に関する情報（信号）を、後述のシステム制御装置１０１へ送信する。
【００２３】
図１に示すように、受水槽１２０には、ＷＬ１、ＷＬ２、ＷＬ３で示す３つの水位が設定されている。ＷＬ１は、水道水Ｗ１４０の供給を開始する水位（予備給水供給開始水位）である。ＷＬ２は、処理水Ｗ１３０の供給を開始する水位である。ＷＬ３は、受水槽１２０への処理水Ｗ１３０又は水道水Ｗ１４０の供給を停止する水位である。
【００２４】
受水槽１２０の水位がＷＬ２まで低下すると、処理水供給ラインＬ１２０から処理水Ｗ１３０の供給が開始される。そして、受水槽１２０の水位がＷＬ３に達すると、処理水供給ラインＬ１２０からの処理水Ｗ１３０の供給が停止する。
また、処理水Ｗ１３０の供給中に、水の使用量の急増等によって受水槽１２０の水位がＷＬ２を下回り、ＷＬ１まで低下すると、水道水供給ラインＬ１３０から水道水Ｗ１４０の供給が開始される。そして、受水槽１２０の水位がＷＬ１を超えてＷＬ２に達すると、水道水供給ラインＬ１３０からの水道水Ｗ１４０の供給が停止する。
【００２５】
このように、処理水供給ラインＬ１２０から受水槽１２０へ処理水Ｗ１３０が供給されるように処理水補給水バルブ１３２の開閉を制御することにより、受水槽１２０に貯留される補給水Ｗ１１０の水位をＷＬ３の水位に維持することができる。
【００２６】
次に、図２を参照して、第１実施形態の水処理システム１００の制御に係わる機能について説明する。
【００２７】
システム制御装置１０１は、水処理システム１００における各部を制御する部位である。システム制御装置１０１は、例えば、ＣＰＵ（中央処理装置）やメモリのほか、入出力ポート等の周辺回路を備えたマイクロプロセッサにより構成される。
【００２８】
システム制御装置１０１は、図２に示すように、例えば、原水ポンプ１３１、処理水補給水バルブ１３２、水道水補給水バルブ１３３、及び水位計１３４に電気的に接続される。
【００２９】
システム制御装置１０１は、制御部１０２と、メモリ１０３と、を備える。制御部１０２は、予備給水供給停止時間計時手段としての第１タイムカウンタ部１０４と、水道水供給時間計時手段としての第２タイムカウンタ部１０５と、流通制御手段としての流通制御部１０６と、を備える。
【００３０】
第１タイムカウンタ部１０４は、水道水供給ラインＬ１３０から受水槽１２０への水道水Ｗ１４０の供給を停止した時間をタイムカウント（計時）する。第２タイムカウンタ部１０５は、水道水供給ラインＬ１３０から受水槽１２０へ水道水Ｗ１４０を供給した時間をタイムカウントする。
【００３１】
流通制御部１０６は、水位計１３４で検出された受水槽１２０の水位がＷＬ２〜ＷＬ３の水位範囲にある場合には、処理水供給ラインＬ１２０から受水槽１２０へ処理水Ｗ１３０を供給するように処理水補給水バルブ１３２を制御する。
【００３２】
流通制御部１０６は、水位計１３４で検出された受水槽１２０の水位がＷＬ１に満たない場合には、水道水供給ラインＬ１３０から受水槽１２０へ水道水Ｗ１４０を供給するように水道水補給水バルブ１３３を制御する。このような制御は、例えば、濾過装置１１０の故障等によって処理水供給ラインＬ１２０から受水槽１２０へ処理水Ｗ１３０を供給することができず、受水槽１２０の水位がＷＬ１を下回った場合に実施される。
【００３３】
流通制御部１０６は、第１タイムカウンタ部１０４によるタイムカウントが第１設定時間に達した場合、すなわち、水道水供給ラインＬ１３０から受水槽１２０への水道水の供給が停止してから第１設定時間が経過した場合には、水位計１３４で検出された受水槽１２０の水位に係わらず、水道水供給ラインＬ１３０から受水槽１２０へ水道水Ｗ１４０を供給するように水道水補給水バルブ１３３を制御する。
【００３４】
第１設定時間は、水道水供給ラインＬ１３０の配管内に滞留した水道水Ｗ１４０の抜き取りを開始する際の基準となる滞留時間である。第１設定時間は、例えば、水道水供給ラインＬ１３０の配管内に滞留した水道水Ｗ１４０が雑菌等により汚染されることのない（又は汚染のレベルが比較的低い）時間に設定される。第１設定時間は、例えば、数時間〜１日程度が想定される。
【００３５】
流通制御部１０６は、水位計１３４で検出された受水槽１２０の水位に係わらず、水道水供給ラインＬ１３０から受水槽１２０へ水道水Ｗ１４０を供給するように水道水補給水バルブ１３３を制御している間に、第２タイムカウンタ部１０５によるタイムカウントが第２設定時間に達した場合には、水道水供給ラインＬ１３０から受水槽１２０への水道水Ｗ１４０の供給を停止するように水道水補給水バルブ１３３を制御する。
【００３６】
第２設定時間は、水道水供給ラインＬ１３０から水道水Ｗ１４０の抜き取りを継続する際の基準となる通水時間である。第２設定時間は、例えば、水道水供給ラインＬ１３０の配管内に滞留した水道水Ｗ１４０を抜き取るのに必要な時間に設定される。第２設定時間は、水道水供給ラインＬ１３０の配管長さや水道水Ｗ１４０の流量により異なるが、およそ５分程度が想定される。
【００３７】
メモリ１０３は、水処理システム１００の制御に必要な制御プログラムや各種データを記憶する。具体的には、メモリ１０３は、水処理システム１００の制御に必要な各種機能を動作させる制御プログラム、水位計１３４によって検出された受水槽１２０の水位（検出値）、第１設定時間、第２設定時間のほか、各種計算値等を記憶する。
【００３８】
次に、図１及び図２を参照して、第１実施形態の水処理システム１００の動作について説明する。
システム制御装置１０１の制御部１０２は、水位計１３４で検出された受水槽１２０の水位がＷＬ２以上且つＷＬ３未満である場合に、原水Ｗ１２０が原水供給ラインＬ１１０から濾過装置１１０へ向けて送り出されるように原水ポンプ１３１を作動させる。濾過装置１１０は、原水供給ラインＬ１１０を介して送られた原水Ｗ１２０を濾過処理することにより、処理水Ｗ１３０を製造する。システム制御装置１０１の制御部１０２は、処理水Ｗ１３０が処理水供給ラインＬ１２０を流通するように、処理水補給水バルブ１３２の開閉を制御する。処理水供給ラインＬ１２０を流通する処理水Ｗ１３０は、受水槽１２０へ供給される。
【００３９】
一方、システム制御装置１０１の制御部１０２は、水位計１３４で検出された受水槽１２０の水位がＷＬ３以上となった場合に、原水Ｗ１２０が原水供給ラインＬ１１０から濾過装置１１０へ向けて送り出されないように原水ポンプ１３１の作動を停止する。また、処理水Ｗ１３０が処理水供給ラインＬ１２０を流通しないように、処理水補給水バルブ１３２の開閉を制御する。このようにして、受水槽１２０に貯留される補給水Ｗ１１０は、ＷＬ３の水位が維持されるように制御される。
【００４０】
また、システム制御装置１０１の制御部１０２は、第１タイムカウンタ部１０４によるタイムカウントが第１設定時間に達すると、水位計１３４で検出された受水槽１２０の水位に係わらず、水道水供給ラインＬ１３０から受水槽１２０へ水道水Ｗ１４０を供給するように水道水補給水バルブ１３３を制御する。すなわち、水道水供給ラインＬ１３０から受水槽１２０への水道水Ｗ１４０の供給が停止してから長時間が経過すると、水道水供給ラインＬ１３０の配管内に滞留した水道水Ｗ１４０が雑菌等で汚染されやすくなる。このため、システム制御装置１０１の制御部１０２は、水道水供給ラインＬ１３０から受水槽１２０への水道水の供給が停止してから第１設定時間が経過した場合には、水道水供給ラインＬ１３０の配管内に滞留している水道水Ｗ１４０の抜き取りを行うため、水道水供給ラインＬ１３０から受水槽１２０へ水道水Ｗ１４０を供給するように水道水補給水バルブ１３３を制御する。
【００４１】
このように、水道水供給ラインＬ１３０から受水槽１２０への水道水Ｗ１４０の供給が停止してから第１設定時間が経過した場合には、水道水供給ラインＬ１３０の配管内に滞留した水道水Ｗ１４０が汚染される前に抜き取られ、受水槽１２０へ供給される。このため、汚染された水道水Ｗ１４０が受水槽１２０に極力供給されないようにすることができる。
【００４２】
上記制御において、「水位計１３４で検出された受水槽１２０の水位に係わらず」とは、言い換えると、「受水槽１２０の水位がＷＬ１〜ＷＬ３のどの水位にあっても」という意味である。
一方、受水槽１２０の水位がＷＬ３の近傍に達しているときに、水道水供給ラインＬ１３０から受水槽１２０へ水道水Ｗ１４０を供給すると、受水槽１２０がオーバーフローするおそれがある。このため、受水槽１２０の水位がＷＬ３（又はその近傍）のときに水道水Ｗ１４０を供給しても、受水槽１２０がオーバーフローしないように第２設定時間を設定する。
【００４３】
システム制御装置１０１の制御部１０２は、第２タイムカウンタ部１０５によるタイムカウントが第２設定時間に達した場合には、水道水供給ラインＬ１３０から受水槽１２０への水道水Ｗ１４０の供給を停止するように水道水補給水バルブ１３３を制御する。これによれば、水処理システム１００の運転状況に係わらず、水道水供給ラインＬ１３０の配管内に滞留した水道水Ｗ１４０を一定量引き抜くことができる。また、水道水供給ラインＬ１３０から受水槽１２０へ必要以上に水道水Ｗ１４０が供給されないので、受水槽１２０のオーバーフローを極力避けることができる。
【００４４】
次に、第１実施形態の水処理システム１００において、水道水供給ラインＬ１３０から定期的に水道水Ｗ１４０を抜き取る動作を、図３に示すフローチャートを参照して説明する。なお、このフローチャートの制御は、システム制御装置１０１のメモリ１０３に記憶している制御プログラムに基づいて、制御部１０２の流通制御部１０６により実行される。また、このフローチャートの制御は、所定の時間間隔（数秒）ごとに繰り返し実行される。
【００４５】
図３に示すように、ステップＳＴ１０１において、流通制御部１０６は、受水槽１２０の水位（≦ＷＬ１）による水道水Ｗ１４０の供給を行っているか否かを判定する。ここで、流通制御部１０６は、水道水Ｗ１４０の供給を行っている（ＹＥＳ）と判定した場合には、ステップＳＴ１０２へ進む。また、流通制御部１０６は、水道水Ｗ１４０の供給を行っていない（ＮＯ）と判定した場合には、ステップＳＴ１０３へ進む。
【００４６】
ステップＳＴ１０２において、流通制御部１０６は、第１タイムカウンタ部１０４によるタイムカウントをリセットして、本フローチャートの処理を終了する。このように、流通制御部１０６は、水道水Ｗ１４０が水道水供給ラインＬ１３０を流通している場合には、第１タイムカウンタ部１０４によりタイムカウントすることなく処理を終了する。
【００４７】
一方、流通制御部１０６は、ステップＳＴ１０１でＮＯと判定した場合には、ステップＳＴ１０３において、第１タイムカウンタ部１０４によりタイムカウントする。
ステップＳＴ１０４において、流通制御部１０６は、第１タイムカウンタ部１０４によるタイムカウント（値）が第１設定時間を超えたか否かを判定する。ここで、流通制御部１０６は、タイムカウントが第１設定時間を超えた（ＹＥＳ）と判定した場合には、ステップＳＴ１０６へ進む。また、流通制御部１０６は、タイムカウントが第１設定時間を超えていない（ＮＯ）と判定した場合には、ステップＳＴ１１１へ進む。
【００４８】
ステップＳＴ１０６において、流通制御部１０６は、水道水補給水バルブ１３３を開いて、水道水供給ラインＬ１３０から水道水Ｗ１４０を受水槽１２０へ向けて流通させる。これにより、水道水供給ラインＬ１３０の配管内に滞留していた水道水Ｗ１４０が抜き取られ、受水槽１２０へ供給される。
【００４９】
ステップＳＴ１０７において、流通制御部１０６は、第２タイムカウンタ部１０５によりタイムカウントする。
【００５０】
続いて、ステップＳＴ１０８において、流通制御部１０６は、第２タイムカウンタ部１０５によるタイムカウント（値）が第２設定時間を超えたか否かを判定する。ここで、流通制御部１０６は、タイムカウントが第２設定時間を超えた（ＹＥＳ）と判定した場合には、ステップＳＴ１０９へ進む。また、流通制御部１０６は、タイムカウントが第２設定時間を超えていない（ＮＯ）と判定した場合には、本フローチャートの処理を終了する。
【００５１】
このように、第２タイムカウンタ部１０５によるタイムカウントが第２設定時間を超えていない場合には、水道水供給ラインＬ１３０から水道水Ｗ１４０の抜き取りが継続している。このため、流通制御部１０６は、第２タイムカウンタ部１０５によるタイムカウントをリセットすることなく処理を終了する。
【００５２】
ステップＳＴ１０９において、流通制御部１０６は、第１タイムカウンタ部１０４によるタイムカウントをリセットする。
続いて、ステップＳＴ１１０において、流通制御部１０６は、第２タイムカウンタ部１０５によるタイムカウントをリセットして、本フローチャートの処理を終了する。
【００５３】
一方、流通制御部１０６は、ステップＳＴ１０４でＮＯと判定した場合は、ステップＳＴ１１０において、水道水補給水バルブ１３３を閉じて、水道水供給ラインＬ１３０から受水槽１２０への水道水Ｗ１４０の流通を停止する。これにより、水道水供給ラインＬ１３０からの水道水Ｗ１４０の抜き取りが終了し、水道水Ｗ１４０の受水槽１２０への供給が停止する。
【００５４】
なお、流通制御部１０６は、ステップＳＴ１０８においてタイムカウントが第２設定時間を超えた（ＹＥＳ）と判定した後、ステップＳＴ１０９及びステップＳＴ１１０の処理を実行して本フローチャートの処理を終了する。この場合、水道水補給バルブ１３３を閉じる制御は、次のフローチャートの処理において実行される。すなわち、次に本フローチャートの処理がスタートすると、ステップＳＴ１０１及びステップＳＴ１０４の判定がそれぞれＮＯとなるため、ステップＳＴ１０４からステップＳＴ１１１に進む。ステップＳＴ１１１では、上述したように、水道水補給水バルブ１３３が閉じられ、水道水供給ラインＬ１３０からの水道水Ｗ１４０の抜き取りが終了し、水道水Ｗ１４０の受水槽１２０への供給が停止する。このように、第２タイムカウンタ部１０５のタイムカウントが第２設定時間を超えた場合には、次のフローチャートの処理において、水道水Ｗ１４０の受水槽１２０への供給が停止する。
【００５５】
上述した第１実施形態の水処理システム１００によれば、例えば、次のような効果が奏される。
第１実施形態の水処理システム１００は、水道水供給ラインＬ１３０から受水槽１２０への水道水Ｗ１４０の供給を停止した時間をタイムカウントする第１タイムカウンタ部１０４と、第１タイムカウンタ部１０４によるタイムカウントが第１設定時間に達した場合には、受水槽１２０の水位に係わらず、水道水供給ラインＬ１３０から受水槽１２０へ水道水Ｗ１４０を供給するように水道水補給水バルブ１３３を制御する流通制御部１０６と、を備える。
【００５６】
そのため、水道水供給ラインＬ１３０から受水槽１２０への水道水Ｗ１４０の供給が停止してから第１設定時間が経過した場合には、水道水供給ラインＬ１３０の配管内に滞留した水道水Ｗ１４０が汚染される前に抜き取られ、受水槽１２０へ供給される。従って、処理水Ｗ１３０及び水道水Ｗ１４０の両方を受水槽１２０に供給することができる水処理システム１００において、汚染された水道水Ｗ１４０が受水槽１２０に極力供給されないようにすることができる。
【００５７】
また、第１実施形態の水処理システム１００は、水道水供給ラインＬ１３０から受水槽１２０へ水道水Ｗ１４０を供給した時間をタイムカウントする第２タイムカウンタ部１０５を更に備える。そして、流通制御部１０６は、受水槽１２０の水位に係わらず、水道水供給ラインＬ１３０から受水槽１２０へ水道水Ｗ１４０を供給するように水道水補給水バルブ１３３を制御している間に、第２タイムカウンタ部１０５によるタイムカウントが第２設定時間に達した場合には、水道水供給ラインＬ１３０から受水槽１２０への水道水Ｗ１４０の供給を停止するように水道水補給水バルブ１３３を制御するようにしている。
【００５８】
そのため、水道水供給ラインＬ１３０の配管内に滞留した水道水Ｗ１４０が受水槽１２０へ供給されてから第２設定時間が経過した場合には、水道水供給ラインＬ１３０から受水槽１２０への水道水Ｗ１４０の供給が停止する。これによれば、水処理システム１００の運転状況に係わらず、水道水供給ラインＬ１３０の配管内に滞留した水道水Ｗ１４０を一定量引き抜くことができる。また、水道水供給ラインＬ１３０から受水槽１２０へ必要以上に水道水Ｗ１４０が供給されないので、受水槽１２０のオーバーフローを極力避けることができる。
【００５９】
次に、本発明の第２実施形態について説明する。第２実施形態については、主として、第１実施形態とは異なる点を中心に説明する。第１実施形態と同様の構成については、同じ符号を付し、詳細な説明を省略する。第２実施形態において特に説明しない点は、第１実施形態についての説明が適宜に適用又は援用される。
【００６０】
＜第２実施形態＞
次に、本発明の第２実施形態の水処理システム１００Ａについて説明する。
第２実施形態の水処理システム１００Ａの基本的な構成は、第１実施形態の水処理システム１００と同じであるため、図示を省略する。図１における（１００Ａ）、（１０１Ａ）、及び図２における（１０１Ａ）は、それぞれ第２実施形態の水処理システム１００Ａ、システム制御装置１０１Ａを示している。
【００６１】
第２実施形態におけるシステム制御装置１０１Ａの制御部１０２において、流通制御部１０６は、第１タイムカウンタ部１０４によるタイムカウントが第１設定時間に達した場合に、処理水供給ラインＬ１２０から受水槽１２０へ処理水Ｗ１３０を供給するように処理水補給水バルブ１３２を制御しているときのみ、水位計１３４で検出された受水槽１２０の水位に係わらず、水道水供給ラインＬ１３０から受水槽１２０へ水道水Ｗ１４０を供給するように水道水補給水バルブ１３３を制御する点が第１実施形態と異なる。
【００６２】
このように、第２実施形態の水処理システム１００Ａでは、第１タイムカウンタ部１０４によるタイムカウントが第１設定時間に達した場合に、処理水供給ラインＬ１２０から受水槽１２０へ処理水Ｗ１３０を供給するように処理水補給水バルブ１３２を制御している場合には、水道水供給ラインＬ１３０からの水道水Ｗ１４０の抜き取りを行うようにしている。一方、処理水供給ラインＬ１２０から受水槽１２０へ処理水Ｗ１３０を供給するように処理水補給水バルブ１３２を制御していない場合には、水道水供給ラインＬ１３０からの水道水Ｗ１４０の抜き取りを行わないようにしている。
【００６３】
第２実施形態の水処理システム１００Ａに関するその他の構成は、第１実施形態の水処理システム１００に関する構成（制御に係わる構成を含む）と同様である。そのため、第１実施形態の水処理システム１００に関する構成についての説明を援用して、第２実施形態の水処理システム１００Ａに関する構成についての説明を省略する。
【００６４】
次に、第２実施形態の水処理システム１００Ａにおいて、処理水Ｗ１３０の供給に連動して水道水供給ラインＬ１３０から水道水Ｗ１４０を抜き取る動作を、図４に示すフローチャートを参照して説明する。図４は、第２実施形態の水処理システム１００Ａにおいて処理水Ｗ１３０の供給に連動して水道水供給ラインＬ１３０から水道水Ｗ１４０を抜き取る動作を示すフローチャートである。第２実施形態におけるフローチャートの基本的な処理は、第１実施形態におけるフローチャート（図１）と同じである。ここでは、第１実施形態との相違点についてのみ説明する。
【００６５】
第２実施形態（図４）のフローチャートにおけるステップＳＴ２０１〜ステップＳＴ２０４は、第１実施形態（図３）のフローチャートにおけるステップＳＴ１０１〜ステップＳＴ１０４と同じである。また、第２実施形態（図４）のフローチャートにおけるステップＳＴ２０６〜ステップＳＴ２１１は、第１実施形態（図３）のフローチャートにおけるステップＳＴ１０６〜ステップＳＴ１１１と同じである。
【００６６】
図４に示すように、ステップＳＴ２０４において、流通制御部１０６は、第１タイムカウンタ部１０４によるタイムカウント（値）が第１設定時間を超えた（ＹＥＳ）と判定した場合には、ステップＳＴ２０５へ進む。ステップＳＴ２０５において、流通制御部１０６は、処理水供給ラインＬ１２０から受水槽１２０へ処理水Ｗ１３０を供給しているか否かを判定する。ここで、流通制御部１０６は、処理水Ｗ１３０の供給を行っている（ＹＥＳ）と判定した場合には、ステップＳＴ２０６へ進む。これ以降の処理は、図３のステップＳＴ１０５へ進んだ場合と同じである。
【００６７】
このように、第２実施形態の水処理システム１００Ａにおいては、ステップＳＴ２０５でＹＥＳの場合のみ、すなわち、処理水供給ラインＬ１２０から受水槽１２０へ処理水Ｗ１３０を供給するように処理水補給水バルブ１３２を制御しているときのみ、受水槽１２０の水位に係わらず、水道水供給ラインＬ１３０から受水槽１２０へ水道水Ｗ１４０を供給するように水道水補給水バルブ１３３を制御する。
また、流通制御部１０６は、処理水Ｗ１３０の供給を行っていない（ＮＯ）と判定した場合には、ステップＳＴ２１１へ進む。これ以降の処理は、図３のステップＳＴ１１０へ進んだ場合と同じである。
【００６８】
上述した第２実施形態の水処理システム１００Ａによれば、上記第１実施形態の効果に加えて、例えば、次のような効果が奏される。
第２実施形態の水処理システム１００Ａにおいて、流通制御部１０６は、第１タイムカウンタ部１０４によるタイムカウントが第１設定時間に達した場合に、処理水供給ラインＬ１２０から受水槽１２０へ処理水Ｗ１３０を供給するように処理水補給水バルブ１３２を制御しているときのみ、受水槽１２０の水位に係わらず、水道水供給ラインＬ１３０から受水槽１２０へ水道水Ｗ１４０を供給するように水道水補給水バルブ１３３を制御するようにしている。
【００６９】
そのため、水道水供給ラインＬ１３０から受水槽１２０へ水道水Ｗ１４０を供給していても、受水槽１２０をオーバーフローさせることなしに、受水槽１２０に貯留される補給水Ｗ１１０の水位をＷＬ２〜ＷＬ３の水位範囲に維持することができる。
【００７０】
以上、本発明の好適な実施形態について説明したが、本発明は前述した実施形態に限定されることなく、種々の形態で実施することができる。
【００７１】
第１及び第２実施形態において、水位計１３４で検出された受水槽１２０の水位がＷＬ２に満たない場合に、水道水供給ラインＬ１３０から受水槽１２０へ水道水Ｗ１４０を供給するようにしてもよい。すなわち、水道水Ｗ１４０の供給を開始する水位ＷＬ１は、上記実施形態と同様に処理水Ｗ１３０の供給を開始する水位ＷＬ２の下方に設定してもよいし、或いは、水位ＷＬ２と同じレベルに設定してもよい。
【００７２】
第１及び第２実施形態において、水道水供給ラインＬ１３０の配管内から抜き取った水道水Ｗ１４０を、受水槽１２０に供給せずに系外に排出するようにしてもよい。また、水道水供給ラインＬ１３０の配管内から抜き取った水道水Ｗ１４０を、受水槽１２０以外の他の処理水使用機器に供給するようにしてもよい。
【００７３】
第１及び第２実施形態において、原水Ｗ１２０は、地下水（井水）に限らず、河川や貯水池から導入した水を濾過処理することにより製造したものであってもよい。また、受水槽１２０に供給する予備給水は、水道水に限らず、処理水Ｗ１３０と同等かそれよりも良質の水であれば使用することができる。例えば、他の造水系統が設置されており、余剰の濾過処理水、軟水、純水等を入手できる場合には、これらを予備給水として使用することができる。
【００７４】
第１及び第２実施形態において、第２タイムカウンタ部１０５によるタイムカウントが第２設定時間に達する前に、水道水供給ラインＬ１３０から受水槽１２０への水道水Ｗ１４０の供給が停止した場合には、残りの水道水Ｗ１４０の供給を次回の給水時に行うようにしてもよい。
【００７５】
第２及び第２実施形態において、第１タイムカウンタ部１０４でタイムカウントする第１設定時間を、水温に基づいて変更するようにしてもよい。例えば、水温が高い場合には、雑菌等が繁殖しやすいので、第１設定時間を短くする。一方、水温が低い場合には、雑菌等が繁殖しにくいので、第１設定時間を長くする。
【符号の説明】
【００７６】
１００，１００Ａ  水処理システム
１０１，１０１Ａ  システム制御装置
１０２  制御部
１０３  メモリ
１０４  第１タイムカウンタ部（予備給水供給停止時間計時手段）
１０５  第２タイムカウンタ部（予備給水供給時間計時手段）
１０６  流通制御部（流通制御手段）
１１０  濾過装置
１２０  受水槽
１３１  原水ポンプ（処理水流通手段）
１３２  処理水補給水バルブ（処理水流通手段）
１３３  水道水補給水バルブ（予備給水流通手段）
１３４  水位計（水位検出手段）
Ｌ１１０  原水供給ライン
Ｌ１２０  処理水供給ライン
Ｌ１３０  水道水供給ライン
Ｌ１４０  貯留水供給ライン
Ｗ１１０  補給水
Ｗ１２０  原水
Ｗ１３０  処理水
Ｗ１４０  水道水（予備給水）
【図１】
0005418260.tif 000002
【図２】
0005418260.tif 000003
【図３】
0005418260.tif 000004
【図４】
0005418260.tif 000005